(57)【要約】  容量性ディスプレイピクセルを有するディスプレイ装置において、電圧の静電結合のため、列の電圧振幅を低減することができる駆動方式が使用されている。各ピクセルは２つの蓄電コンデンサを有している。２つの蓄電コンデンサを使用することにより、蓄電コンデンサの一方の１つの端子に与えられる電圧振幅の大きさをある程度自由に選択することができる。ディスプレイの全てのピクセルの第１のコンデンサ（Ｃ１）は接地されても良く、第２のコンデンサ（Ｃ２）だけが、ディスプレイセルに容量的に結合される電圧の変化に晒される。これにより、自由度の高いコンデンサライン駆動型方式が得られる。
2005513556.tif 000002
【特許請求の範囲】
【請求項１】
容量性のディスプレイピクセルの配列を備え、各ピクセルが薄膜トランジスタ切換素子と容量性セルとを含み、前記セルが前記切換素子とセル電極との間に接続されているディスプレイ装置であって、各ピクセルは、前記切換素子と第１のコンデンサ電極との間に接続される第１の蓄電コンデンサと、前記切換素子と第２のコンデンサ電極との間に接続される第２の蓄電コンデンサとを更に含むディスプレイ装置。
【請求項２】
前記第１のコンデンサ電極は、前記ディスプレイの全てのピクセルに共通である請求項１に記載の装置。
【請求項３】
前記第１のコンデンサ電極は接地されている請求項２に記載の装置。
【請求項４】
前記第２のコンデンサ電極は、前記ディスプレイのピクセルの行間で共有されている請求項１乃至請求項３のいずれか１項に記載の装置。
【請求項５】
前記第２のコンデンサ電極に対して方形波形が加えられる請求項４に記載の装置。
【請求項６】
前記第２のコンデンサ電極に加えられる前記波形の信号振幅は、前記ディスプレイ装置の他の回路のために使用される電源電圧に等しい請求項５に記載の装置。
【請求項７】
前記第１および第２の蓄電コンデンサの静電容量比は、前記容量性セル間で所望の電圧レベルが得られるように選択される請求項６に記載の装置。
【請求項８】
前記配列が行および列をなすように配置され、ピクセルの各行は、前記行における前記ピクセルの前記薄膜トランジスタのゲートに接続される１つの行導体を共有し、ピクセルの各列は、ピクセル駆動信号が供給される１つの列導体を共有する請求項１乃至請求項７のいずれか１項に記載の装置。
【請求項９】
行ドライバ回路は、前記行の前記ピクセルの前記トランジスタの切換えを制御するための行アドレス信号を供給し、列アドレス回路は、前記ピクセル駆動信号を供給する請求項８に記載の装置。
【請求項１０】
前記容量性セルは、液晶セルを含む請求項１乃至請求項９のいずれか１項に記載の装置。
【請求項１１】
容量性のディスプレイピクセルの配列を備え、各ピクセルが容量性セルと第１および第２の蓄電コンデンサとを含むディスプレイ装置のピクセルを駆動する方法であって、
前記ピクセルの前記セルと、前記第１および第２の蓄電コンデンサの１つの端子とに対してデータ信号を加え、これによって、前記第１および第２の蓄電コンデンサを充電し、
前記データ信号を前記セルから分離することと、
前記第１および第２の蓄電コンデンサの一方の第２の端子に電圧のステップ変化を加える一方で、前記第１および第２の蓄電コンデンサの他方の第２の端子の電圧を実質的に一定に維持することと、
を備える方法。
【発明の詳細な説明】
【技術分野】
【０００１】
本発明は、特に、蓄電コンデンサを有するピクセル構造を備えたアクティブマトリクスディスプレイ装置に関する。
【背景技術】
【０００２】
この種のディスプレイは、一般に、行および列に並ぶピクセル配列を備えている。ピクセルの各行は、行におけるピクセルの薄膜トランジスタのゲートに接続する行導体を共有している。ピクセルの各列は、ピクセル駆動信号が供給される列導体を共有している。行導体における信号は、トランジスタがＯＮされるか又はＯＦＦされるかを決定する。また、行導体における高電圧パルスによってトランジスタがＯＮされると、列導体からの信号は、液晶材料（または、他の容量性ディスプレイセル）の領域へと伝わることができ、これにより、材料の光透過特性が変化する。
【０００３】
ピクセル構造の一部として別個の蓄電コンデンサを設けることにより、行電極パルスが除去された後であっても、液晶材料において所定の電圧を維持できることは良く知られている。米国特許出願公開第５１３０８２９号は、アクティブマトリクスディスプレイ装置の構造を詳細に開示している。
【０００４】
アクティブマトリクスディスプレイ装置におけるフレーム（フィールド）周期では、ピクセルの行が短時間だけアドレス指定される必要がある。そして、これは、液晶材料を所望の電圧レベルまで充電または放電するために、トランジスタの電流駆動能力に対して１つの要件を課す。これらの電流要件を満たすため、薄膜トランジスタに供給されるゲート電圧は、大きな電圧振幅を必要とする。例えば、低温ポリシリコントランジスタを使用するディスプレイにおいては、最小行駆動電圧が約−２ボルトとなり、最大行駆動電圧が約１５ボルトとなる場合がある。これにより確実に、トランジスタには、所要のソース−ドレイン電流を供給して液晶材料を十分速く充電または放電できるように、十分なバイアスがかけられる。
【０００５】
行導体における大きな電圧振幅という要件により、高電圧成分を使用して行ドライバ回路を導入する必要がある。
【０００６】
また、列導体におけるピクセル駆動信号は、一般に、大きな電圧振幅を有している。例えば、特にＬＣの駆動電圧の極性を反転するためには、列導体において１０ボルトの振幅が必要となる場合がある。最大ピーク間電圧は、２つの異なる極性における黒状態の電圧間の差に対応している。最小ピーク間電圧は、２つの異なる極性における白状態の電圧間の差に対応している。１０ボルトのピーク間駆動信号は、従来のＴＮ ＬＣセルにおける最大駆動電圧である可能性が高く、また、様々な液晶材料および様々なＬＣセル技術（例えば、様々なより角度および様々な光学的構造）は、低い電圧振幅を必要とする。例えば、５．６ボルトのピーク間電圧振幅が必要となる場合がある。この電圧は、ディスプレイを使用するポータブルバッテリ駆動型装置における所望の供給電圧よりも依然として高い。
【０００７】
したがって、列導体における電圧振幅を低減でき、それによって、低電圧成分を列ドライバ回路で使用できるようにする様々な駆動方式が提案されてきた。幾つかの例において、これは、蓄電コンデンサを使用するピクセルに対して液晶駆動電圧の更なる成分を結合することによって達成される。これが行なわれる駆動方式としては、コンデンサライン駆動方式および４レベル行駆動方式が挙げられる。
【０００８】
４レベル駆動方式は、静電結合効果を使用して列導体における電圧振幅を低減するために、更に複雑な行電極波形を使用する。コンデンサライン駆動方式は、ステップ状の電圧波形を蓄電コンデンサの一端に結合し（行の全てのピクセルに対して電圧が印加される）、また、この電圧波形の変化によって、ＬＣセル間の電圧がステップ変化する。
【０００９】
いわゆる共通電極駆動方式においては、ＬＣ駆動電圧の成分がディスプレイの共通電極に印加される。ＬＣ静電容量および蓄電容量にわたって電圧成分を分割しないように、交流電圧が蓄電コンデンサに印加される。
【００１０】
これらの駆動方式により、列ドライバ回路において低電圧成分を使用することができるが、行導体波形が更に複雑になり（特に、行導体波形が複数の電圧レベルを有する）、かつ／または、ディスプレイの他の電極に印加するための別個の駆動電圧が必要になる。これにより、電源回路が更に複雑になり、チャージポンプ、電圧調整器、分圧器、増幅器等の別個の回路素子が必要となる場合がある。これらの構成要素は、ディスプレイの電力消費の一因となり、ディスプレイを動作するために必要な回路の複雑度を高める。
【００１１】
本発明によれば、
容量性のディスプレイピクセルの配列を備え、各ピクセルが薄膜トランジスタ切換素子と容量性セルとを含み、前記セルが前記切換素子とセル電極との間に接続されているディスプレイ装置であって、各ピクセルは、前記切換素子と第１のコンデンサ電極との間に接続される第１の蓄電コンデンサと、前記切換素子と第２のコンデンサ電極との間に接続される第２の蓄電コンデンサとを更に含むディスプレイ装置が提供される。
【００１２】
２つの蓄電コンデンサを使用することにより、蓄電コンデンサの一方の１つの端子に与えられる電圧振幅の大きさを、ある程度自由に選択できる。特に、電圧ステップ変化をセルに結合するために一方のコンデンサだけが使用される場合、２つの静電容量の比は、セルに結合される電圧ステップ変化の割合を決定付けることができる。
【００１３】
第１のコンデンサ電極は、ディスプレイの全てのピクセルにおいて共通であっても良く、また、所定の電位（例えばグラウンド電位）に保持されても良く、これにより、第２のコンデンサ電極だけが、ディスプレイセルに容量的に結合される電圧変化に晒されるようにしても良い。これによって、コンデンサライン駆動型方式が得られる。
【００１４】
ディスプレイの１つの行のピクセルによって第２のコンデンサ電極が共有され、これにより、１つの行がアドレス指定される際に、加えられる全てのデータ信号が静電結合によって同じ電圧増加または電圧減少に晒されるようにしても良い。ステップ状の電圧波形を第２のコンデンサ電極に加えることができ、また、プラスおよびマイナスのデータをピクセルに対して連続的に加えることができる。プラスデータの場合、セルに対してステップ増加が容量的に結合され、マイナスデータの場合、セルに対してステップ減少が容量的に結合される。
【００１５】
第２のコンデンサ電極に加えられる波形の信号振幅は、ディスプレイ装置の他の回路のために使用される電源電圧と等しくても良い。これにより、コンデンサ電極に加えられる電圧波形のための更なる電源回路が不要となる。
【００１６】
信号振幅が選択されると、容量性セル間で所望の電圧レベルが得られるように第１および第２の蓄電コンデンサの静電容量比を選択することができる。
【００１７】
前記セル配列は、行および列をなすように配置されることが好ましい。この場合、ピクセルの各行は、行におけるピクセルの薄膜トランジスタのゲートに接続された１つの行導体を共有し、ピクセルの各列は、ピクセル駆動信号が供給される１つの列導体を共有する。
【００１８】
次に、行ドライバ回路は、行のピクセルのトランジスタの切換えを制御するための行アドレス信号を供給し、列アドレス回路は、ピクセル駆動信号を供給する。
【００１９】
ピクセルは、液晶ディスプレイピクセルを構成していることが好ましい。
【００２０】
本発明はまた、
容量性のディスプレイピクセルの配列を備え、各ピクセルが容量性セルと第１および第２の蓄電コンデンサとを含むディスプレイ装置のピクセルを駆動する方法であって、
前記ピクセルの前記セルと、前記第１および第２の蓄電コンデンサの１つの端子とに対してデータ信号を加え、これによって、前記第１および第２の蓄電コンデンサを充電し、
前記データ信号を前記セルから分離することと、
前記第１および第２の蓄電コンデンサの一方の第２の端子に電圧のステップ変化を加える一方で、前記第１および第２の蓄電コンデンサの他方の第２の端子の電圧を実質的に一定に維持することと、
を備える方法も提供する。
【００２１】
添付図面を参照しつつ、以下において、本発明の実施の形態について詳細に説明する。
【発明を実施するための最良の形態】
【００２２】
図１は、アクティブマトリクス液晶ディスプレイにおける従来のピクセル構成を示している。ディスプレイは、行および列に並ぶピクセル配列として配置されている。ピクセルの各行は、１つの共通の行導体１０を共有しており、また、ピクセルの各列は、１つの共通の列導体１２を共有している。各ピクセルは、列導体１２と共通電極１８との間に直列に配置された薄膜トランジスタ１４と液晶セル１６とを備えている。トランジスタ１４は、行導体１０に供給される信号によってＯＮ／ＯＦＦが切換えられる。したがって、行導体１０は、ピクセルの対応する行の各トランジスタ１４のゲート１４ａに接続されている。また、各ピクセルは、一端２２で次の行電極に、前の行電極に、または別個のコンデンサ電極に接続されている蓄電コンデンサ２０を更に備えている。このコンデンサ２０は、トランジスタ１４がＯＦＦされた後であっても信号が液晶セル１６間で維持されるように、駆動電圧を蓄える。
【００２３】
液晶セル１６を所望の電圧まで駆動させて所要の中間レベルを得るため、行導体１０の行アドレスパルスに同期して、適切な信号が列導体１２に供給される。この行アドレスパルスは、薄膜トランジスタ１４をＯＮにし、これにより、列導体１２は、液晶セル１６を所望の電圧まで充電することができるとともに、同じ電圧まで蓄電コンデンサ２０を充電することができる。行アドレスパルスの終わりで、トランジスタ１４がＯＦＦされ、蓄電コンデンサ２０は、他の行がアドレス指定される際に、セル１６間の電圧を維持する。蓄電コンデンサ２０は、液晶漏れの効果を低減するとともに、液晶セルの静電容量の電圧依存によって引き起こされるピクセルキャパシタンスの百分率変化を低減する。
【００２４】
全ての行が１フレーム周期でアドレス指定され且つその後のフレーム周期でリフレッシュされるように、行が連続的にアドレス指定される。
【００２５】
図２に示されるように、ディスプレイピクセルの配列３４に対し、行アドレス信号は、行ドライバ回路３０によって供給され、ピクセル駆動信号は、列アドレス回路３２によって供給される。
【００２６】
アモルファスシリコンまたは多結晶シリコン薄膜の素子として実現される薄膜トランジスタ１４を通じて十分な電流を流すことができるようにするためには、高いゲート電圧を使用しなければならない。特に、トランジスタがＯＮされている時間は、行の数によって分割され且つディスプレイがリフレッシュされなければならない全フレーム周期とほぼ等しい。ＯＮ状態およびＯＦＦ状態におけるゲート電圧は、ポリシリコンディスプレイに関して約１２ボルトだけ相違しており、これにより、ＯＦＦ状態で所要の僅かな漏れ電流を供給し且つＯＮ状態で十分な電流を供給して、利用可能な時間内で液晶セル１６を充電または放電するようになっている。
【００２７】
アモルファスシリコンディスプレイの場合、行ドライバ回路３０は、高電圧成分を使用するとともに、従来のようにアモルファスシリコンディスプレイの基板上に集積されない。この場合、ディスプレイ基板に結合されなければならない電圧レベルの数を最小にすることが望ましい。多結晶シリコンディスプレイの場合には、行ドライバ回路および列ドライバ回路をディスプレイの基板上に集積することができる。しかしながら、電源回路は、別個であり、一般に、必要な各駆動電圧毎に外部電圧調整器を有している。
【００２８】
図３は、図１のディスプレイを駆動するための既知のアドレス方式の第１の実施の形態を示している。この実施形態においては、列の電圧振幅を低減するための手段は講じられない。各行に加えられる信号は、トランジスタ１４（図１）を完全にＯＮできる十分な高さ４５を有する周期的な矩形パルス４２，４４を含んでいる。これは、トランジスタの構造と、トランジスタを形成するために使用される技術とによって決まる。
【００２９】
ＬＣ材料を異なる状態間で切換えるための電圧波形は、特に極性反転を行なうため、一般に、約５〜１０ボルトの電圧変動４６を有している。極性反転は、液晶材料をプラス電圧とマイナス電圧とに交互に充電し、動作中のＬＣセル間の平均電圧がゼロとなるようにすることを伴う。これにより、材料の劣化が防止される。図３の複数の行波形は、１つの行における行ドライバパルス４２、次の行における行ドライバパルス４４、列導体に波形４８として加えられる信号を示している。波形４８は、プラスの極性の電圧波形（電圧が常にＶｃｅを上回る波形）であり、波形４９は、マイナスの極性の電圧波形（電圧が常にＶｃｅを下回る波形）である。
【００３０】
また、図３の駆動方式によって必要とされる列電極信号の電圧振幅には、高電圧成分を使用して列アドレス回路３２が実行されることが必要である。しかしながら、列電極１２の電圧振幅を低減するための他の駆動方式が存在し、これにより、低電圧成分を使用して列アドレス回路３２を実行することができる。
【００３１】
図４は、“共通電極駆動”として知られる既知の代替的な駆動方式の第１の実施の形態を示している。この場合、共通電極１８の電圧は、もはや一定ではなく、変動を引き起こす。この変動がプロット５０に示されている。これにより、列電極１２の電圧振幅（プロット４８）を低減することができる。実施の一形態においては、ピクセル蓄電コンデンサが、隣り合う行電極に接続される。しかしながら、この駆動方式は、図４に示されるように、より複雑な行波形を必要とし、各行パルスは、行信号波形を規定する３つの別個の電圧Ｖ１，Ｖ２，Ｖ３を有する。２レベル信号が加えられる別個の蓄電コンデンサ電極を設けることにより、行波形を２レベル信号へと簡略化することができる。
【００３２】
更なる既知の代替的な駆動方式が図５に示されている。この駆動方式において、隣り合う行間の静電結合は、列電極１２の電圧振幅を低減できることに依存している。この駆動方式は、蓄電コンデンサが隣り合う行に対して接続されるピクセル構造を必要とする。この方式において、１つの行における行パルス５２は、インクリメンタルステップ増加５４によって先行されている。これに対し、次の行における行パルス６０は、インクリメンタルステップ減少６２によって先行されている。これらの中間のステップレベルは、パルス５０，６０の両側、または、パルス５０，６０への入力部にだけ与えられても良い。この場合も同様に、３レベル波形が生じる。
【００３３】
図６は、蓄電コンデンサの１つの端子（図１の１８）での電圧ステップの静電結合によってセル間の電圧が増加または減少するコンデンサライン駆動方式を示している。この方式により、単純な行波形７０を使用することができ、また、方形波７２が蓄電コンデンサ端子２２に加えられる。１つのフレーム周期Ｆｎにおいては、プラスのゴーイング電圧ステップ７２ａがコンデンサラインに加えられ、次のフレーム周期Ｆｎ＋１においては、マイナスのゴーイングステップ７２ｂが加えられる。ステップは、ピクセルの行がアドレス指定された後、すぐに発生し、したがって、ディスプレイの各コンデンサライン（ピクセルの行）毎に別個のコンデンサライン駆動信号７２が必要とされる。これらの信号は、一般に行駆動回路に対してディスプレイと反対側に位置するコンデンサライン駆動回路によって生成される。別個の駆動回路が必要とされるため、コンデンサライン駆動は、余分な費用をかけることなくこれを内蔵できるポリシリコンディスプレイに最も適している。
【００３４】
行パルス７０中に、列信号７４（各列における列信号）も同様にサンプリングされる。
【００３５】
これらの駆動方式は当業者に良く知られており、これらの動作技術の幾つかは、例えば、米国特許出願公開第５１３０８２９号および国際公開第９９／５２０１２号に詳しく記載されている。
【００３６】
図６を参照して説明したコンデンサライン駆動方式の改良として、本発明を説明する。しかしながら、複数の蓄電コンデンサを使用する本発明の原理を使用して、他の駆動方式を修正し、マルチレベル波形の形成を簡略化しても良い。
【００３７】
図７は、コンデンサライン駆動方式と共に使用できる本発明の実施の一形態に係るピクセル配置構成を示している。例えば図２に示されるようなピクセル配列でピクセル構造が使用されることは言うまでもない（しかしながら、前述したように、更なるコンデンサライン駆動回路が必要とされる）。
【００３８】
同じ構成要素には、図１と同じ参照符号が使用されている。各ピクセルは、トランジスタ１４と、トランジスタ１４と共通電極１８との間に接続された容量性セル（例えばＬＣセル）１６とを有している。各ピクセルは、トランジスタと第１のコンデンサ電極８０との間に接続された第１の蓄電コンデンサＣ１と、トランジスタと第２のコンデンサ電極８２との間に接続された第２の蓄電コンデンサＣ２とを有している。
【００３９】
この特定の実施の形態において、第１のコンデンサ電極８０は接地されており、一方、第２のコンデンサ電極８２は方形波電圧波形に接続されている。このようにすると、２つのコンデンサＣ１，Ｃ２の比に基づいて、電極８２の電圧のステップ変化がセル１６に伝えられる。
【００４０】
この配置構成の利点は、電荷移動の解析によって理解することができる。この解析のため、列電圧駆動レベルが０からＶcolまで変化し、方形波コンデンサ電極波形（図６の７２）の電圧振幅がＶcapであると仮定する。また、最大所要ピーク間ＬＣ電圧が５．６Ｖであり、最小ピーク間ＬＣ電圧が１．８であると仮定する。また、ＬＣ静電容量ＣＬＣと蓄電コンデンサ値ＣＳとの間に、例えばＣＳ＝３ＣＬＣという所定の関係があると仮定することができる。
【００４１】
最初に、列からセルに対して電圧が印加される。この電圧は、その後、行アドレスパルスの最後に、ＬＣセルから絶縁される。蓄電コンデンサの電圧における次のステップ変化は、ＬＣセルに対して容量的に結合される。
【００４２】
図１の従来のピクセルの場合、ＬＣセルに印加されるプラスの最大サイクル電圧は、Ｖcol＋（プロット７２のステップ増加の静電結合から生じる電圧）である。
【００４３】
したがって、最大電圧は、
Ｖcol＋Ｖcap（ＣＳ／（ＣＳ＋ＣＬＣ））
となる。
【００４４】
ＬＣセルに印加されるマイナスの最小サイクル電圧は、０（列の０）−（プロット７２のステップ減少の静電結合から生じる電圧）である。
【００４５】
したがって、最小電圧は、
−Ｖcap（ＣＳ／（ＣＳ＋ＣＬＣ））
となる。
【００４６】
したがって、最大ピーク間電圧振幅は、
Ｖcol＋２Ｖcap（ＣＳ／（ＣＳ＋ＣＬＣ））
となる。
【００４７】
ＬＣセルに印加されるプラスの最小サイクル電圧は、０＋（プロット７２のステップ増加の静電結合から生じる電圧）である。
【００４８】
したがって、プラスの最小サイクル電圧は、
Ｖcap（ＣＳ／（ＣＳ＋ＣＬＣ））
となる。
【００４９】
ＬＣセルに印加されるマイナスの最大サイクル電圧は、Ｖcol−（プロット７２のステップ減少の静電結合から生じる電圧）である。
【００５０】
したがって、マイナスの最大サイクル電圧は、
Ｖcol−Ｖcap（ＣＳ／（ＣＳ＋ＣＬＣ））
となる。
【００５１】
したがって、最小ピーク間電圧振幅は、
２Ｖcap（ＣＳ／（ＣＳ＋ＣＬＣ））−Ｖcol
となる。
【００５２】
前述した要件は、Ｖcap＝２．４７Ｖ、Ｖcol＝１．９Ｖの場合に達成し得る。しかしながら、この電圧レベルは簡単に利用できず、図６の電圧波形７２を形成するために別個の回路が必要となる。
【００５３】
図７における本発明のピクセルの場合、全蓄電容量Ｃ１＋Ｃ２がＣ１＋Ｃ２＝３ＣＬＣという同じ要件のもとにあると仮定することができる。最大ピーク間電圧振幅は、以下のように、同じ解析によって計算することができる。
Ｖcol＋２Ｖcap（Ｃ２／（Ｃ１＋Ｃ２＋ＣＬＣ））
【００５４】
最小ピーク間電圧振幅は、
２Ｖcap（Ｃ２／（Ｃ１＋Ｃ２＋ＣＬＣ））−Ｖcol
となる。
【００５５】
これにより、Ｖcapの値を思い通りに選択することができ、例えば、Ｖcapを、ディスプレイモジュールにおける電源電圧、例えば３．３Ｖに設定することができる。
【００５６】
Ｖcap＝３．３Ｖで且つＶcolが再び１．９Ｖである場合、他の制約によって以下のようになる。
（Ｃ２／（Ｃ１＋Ｃ２＋ＣＬＣ））＝０．５６１
Ｃ１＋Ｃ２＝３ＣＬＣという更なる制約によって、Ｃ２／Ｃ１＝２．９６となる。
【００５７】
したがって、電源電圧と等しい振幅を有する方形波を使用して、ディスプレイのコンデンサ電極を駆動することができる。２つの蓄電コンデンサの値を選択することにより、ＬＣ材料間で所望の電圧振幅を得ることができる。
【００５８】
前述した計算においては、ＣＬＣの値がピクセル駆動電圧によって決まる（黒ピクセルは、通常、白ピクセルよりも高い静電容量を有している）ということは考慮していない。この更なる効果は、実際には、必要な列駆動電圧および蓄電コンデンサ比を計算する際に考慮される。
【００５９】
本発明により、更に自由に電圧レベルを選択できることは言うまでもない。
これにより、コンデンサライン駆動方式において利点を有することが分かった。また、これが本発明の好ましい実施である。
【００６０】
本発明を使用して他の駆動方式を簡略化することもできるが、その幾つかについては先に概説した。
【００６１】
前述した実施の形態では、３つの電極と、１つのセル電極と、２つの蓄電コンデンサ電極とが設けられているが、本発明を使用して共通電極駆動方式を修正する場合には、例えば、セル電極に加える信号と同じ信号をコンデンサ電極の一方に加えても良い。
【００６２】
前述した実施の形態においては、一方のコンデンサ電極が切換え電圧波形に接続され、他方のコンデンサ電極が所定の電位に接続される。また、この方式は、切換え電圧波形が両方のコンデンサ端子に対して加えられるべく実施されても良い。これにより、更にコンパクトなピクセルのレイアウトが可能になり、または、他の利点が得られるかもしれない。例えば、駆動される１つのコンデンサラインがピクセルの行毎に設けられても良い。この場合、第２の蓄電コンデンサが、前又は後のピクセル行のコンデンサラインに接続されても良い。
【００６３】
または、ピクセルの各行は、相補信号を有する２つの駆動されるコンデンサラインを有していても良い。１つの蓄電コンデンサを各コンデンサラインに接続しても良く、また、コンデンサの比は、ピクセルに接続される信号の大きさ及び極性を決定し得る。この技術を使用して、行に沿って交互に並ぶピクセルが反対の極性の信号を用いて駆動される列反転方式またはピクセル反転方式を実施することができる。
【００６４】
用語“行”および“列”は、明細書本文および請求の範囲においては、やや自由裁量的である。これらの用語は、要素の直交ラインが共通の接続部を共有する要素の配列があることを明確にすることを意図している。通常、行はディスプレイの左右方向に延びると見なされ、列は上下方向に延びると見なされるが、これらの用語の使用は、この点について限定することを意図していない。
【００６５】
前述した数値例は、１つの特定の所望の駆動方式を使用して、どのようにコンデンサ比を決定し、既存の電圧レベルを使用できるようにするかを示している。無論、この解析を、ＬＣまたは他の駆動される容量性ディスプレイセルに依存する任意の所望の駆動方式に適用できることは言うまでもない。
【００６６】
本発明の他の特徴は、当業者に明らかである。
【図面の簡単な説明】
【００６７】
【図１】アクティブマトリクス液晶ディスプレイにおける既知のピクセル構造の一例を示す図。
【図２】行ドライバ回路および列ドライバ回路を含むディスプレイを示す図。
【図３】アクティブマトリクスディスプレイの駆動時に使用できる、異なる（既知の）行波形を示す図。
【図４】アクティブマトリクスディスプレイの駆動時に使用できる、異なる（既知の）行波形を示す図。
【図５】アクティブマトリクスディスプレイの駆動時に使用できる、異なる（既知の）行波形を示す図。
【図６】アクティブマトリクスディスプレイの駆動時に使用できる、異なる（既知の）行波形を示す図。
【図７】本発明のピクセル配置構成を示す図。
【図１】
2005513556.tif 000003
【図２】
2005513556.tif 000004
【図３】
2005513556.tif 000005
【図４】
2005513556.tif 000006
【図５】
2005513556.tif 000007
【図６】
2005513556.tif 000008
【図７】
2005513556.tif 000009
【国際調査報告】
2005513556.tif 000010
2005513556.tif 000011